(57)【要約】【課題】体のデータを容易に測定可能な測定装置および測定装置が取り付けられた測定用衣服を提供する。【解決手段】測定装置は、伸縮部材と、伸縮部材に接続された起歪体と、起歪体に設けられ、伸縮部材が引張すると起歪体とともに変形し、伸縮部材の引張量を測定するひずみ測定部と、を備え、ひずみ測定部は、グリッド方向が引張方向に平行な少なくとも１つのひずみゲージを有する。測定用衣服は、測定装置が取り付けられ、繊維素材からなり、伸縮部材より小さいばね定数を有する。【選択図】図１
2018165680.tif 000002
【特許請求の範囲】
【請求項１】
伸縮部材と、
前記伸縮部材に接続された起歪体と、
前記起歪体に設けられ、前記伸縮部材が引張すると前記起歪体とともに変形し、前記伸縮部材の引張量を測定するひずみ測定部と、
を備える測定装置であって、
前記ひずみ測定部は、グリッド方向が引張方向に平行な少なくとも１つのひずみゲージを有する、
測定装置。
【請求項２】
前記ひずみ測定部は、
前記起歪体の表面に設けられた２つのひずみゲージと、
前記起歪体の裏面に設けられた２つのひずみゲージと、
を有し、
４つのひずみゲージにより、ホイートストンブリッジ回路を構成する、
請求項１に記載の測定装置。
【請求項３】
前記伸縮部材および前記起歪体は、環状に形成されている、
請求項１または２に記載の測定装置。
【請求項４】
請求項１から３のいずれかに記載の測定装置が取り付けられた測定用衣服であって、
前記測定用衣服は、繊維素材からなり、前記伸縮部材より小さいばね定数を有する、
測定用衣服。
【発明の詳細な説明】
【技術分野】
【０００１】
本発明は、ひずみゲージを用いた測定装置および測定装置が取り付けられた測定用衣服に関するものである。
【背景技術】
【０００２】
ひずみゲージを用いた測定方法として、例えば特許文献１には、測定用下着（ブラジャー）のボ−ン部等にひずみゲージのセンサを取り付け、ユーザが測定用下着を着用したとき、センサで検出された測定データを無線で測定装置に送信し、下着のフィット性を測定する技術が提案されている。この技術により、ユーザは、自分にフィットする下着を容易に選択することができる。
【先行技術文献】
【特許文献】
【０００３】
【特許文献１】特開平６−４９７０３号公報
【発明の概要】
【発明が解決しようとする課題】
【０００４】
一般的に、ブラジャーのボーン部は、メーカーごとに形状、位置および柔軟性が異なるものである。それゆえ、特許文献１の測定用下着のボ−ン部に取り付けられたセンサで検出された測定データに基づきフィットすると選択されたブラジャーであっても、ユーザが実際に試着をしてみると、フィット性に満足できない場合が考えられる。
また、測定用下着は、通常のブラジャーと同様の伸縮性の低い生地で作成されているため、体を測定用下着の形状に合わせせた状態で測定が行われる。それゆえ、矯正された状態の体の測定データは、本来の体のデータとは異なるため、データが不十分な場合が考えられる。
それゆえ、本発明では、上述した問題点を解消し、本来の体のデータを容易に測定可能な測定装置および測定装置が取り付けられた測定用衣服を提供することを目的とする。
【課題を解決するための手段】
【０００５】
本発明の測定装置は、
伸縮部材と、
前記伸縮部材に接続された起歪体と、
前記起歪体に設けられ、前記伸縮部材が引張すると前記起歪体とともに変形し、前記伸縮部材の引張量を測定するひずみ測定部と、
を備え、
前記ひずみ測定部は、グリッド方向が引張方向に平行な少なくとも１つのひずみゲージを有する。
【０００６】
前記ひずみ測定部は、
前記起歪体の表面に設けられた２つのひずみゲージと、
前記起歪体の裏面に設けられた２つのひずみゲージと、
を有し、
４つのひずみゲージにより、ホイートストンブリッジ回路を構成する、
ことが好ましい。
【０００７】
前記伸縮部材および前記起歪体は、環状に形成されている、
ことが好ましい。
【０００８】
本発明の測定装置が取り付けられた測定用衣服であって、
前記測定用衣服は、繊維素材からなり、前記伸縮部材より小さいばね定数を有する。
【図面の簡単な説明】
【０００９】
【図１】（ａ）は本発明の第１実施形態に係る測定装置の概略図であり、（ｂ）はそのひずみ測定部の回路図である。
【図２】（ａ）は本発明の第２実施形態に係る測定装置の概略図であり、（ｂ）はそのひずみ測定部の回路図である。
【図３】本発明の第３実施形態に係る測定装置の概略図である。
【図４】本発明の測定装置が取り付けられた測定用衣服の第１の適用事例を示す。
【図５】無線給電されるひずみ測定部の回路図である。
【図６】本発明の測定装置が取り付けられた測定用衣服の第２の適用事例を示す。
【発明を実施するための形態】
【００１０】
図１（ａ）は、本発明の第１実施形態に係る測定装置の概略図である。
測定装置１０ａは、長尺の伸縮部材１と、伸縮部材１の一端に接続された起歪体２と、起歪体２に設けられたひずみ測定部３ａと、を備える。ひずみ測定部３ａは、伸縮部材１が引張すると起歪体２とともに変形し、伸縮部材１の引張量ΔＬを測定する。ひずみ測定部３ａは、グリッド方向が引張方向に平行な１つのひずみゲージＲ１を有する。伸縮部材１がΔＬだけ引張すると、ひずみ測定部３ａは、起歪体２とともに変形し、伸縮部材１の引張量ΔＬを測定する。
伸縮部材１は、ひずみレベルが２００〜３００％のゴム等である。起歪体２は、ひずみレベルが０．５％以下の金属等である。すなわち、伸縮部材１のヤング率は、起歪体２のヤング率より小さい。
図１（ｂ）は、本発明の第１実施形態に係る測定装置のひずみ測定部の回路図である。
ひずみ測定部３ａは、ひずみゲージＲ１と、３つの固定抵抗Ｒ２、Ｒ３、Ｒ４と、を有し、ひずみゲージＲ１と、３つの固定抵抗Ｒ２、Ｒ３、Ｒ４と、によりホイートストンブリッジ回路を構成する。
測定装置１０ａを用いて、身体のサイズ、例えば腕の長さや腕の太さを測定することができる。例えば腕の長さを測定する場合、起歪体２を肩に固定し、伸縮部材１の他端（伸縮部材１の起歪体２に接続された一端の反対側）を手首まで引っ張り、伸縮部材１の引張量ΔＬを測定する。
【００１１】
図２（ａ）は、本発明の第２実施形態に係る測定装置の概略図であり、図２（ｂ）は、そのひずみ測定部の回路図である。
測定装置１０ｂでは、２本の長尺の伸縮部材１が起歪体２の両端に接続されている。ひずみ測定部３ｂは、４つのひずみゲージＲ１＿Ｔ、Ｒ２＿Ｃ、Ｒ３＿Ｔ、Ｒ４＿Ｃを有し、そのうち２つのひずみゲージＲ１＿Ｔ、Ｒ２＿Ｃが起歪体２の表面に設けられ、残りの２つのひずみゲージＲ３＿Ｔ、Ｒ４＿Ｃが起歪体２の裏面に設けられている。起歪体２の表面に設けられた第１のひずみゲージＲ１＿Ｔおよび起歪体２の裏面に設けられた第３のひずみゲージＲ３＿Ｔは、グリッド方向が引張方向に平行であり、２本の伸縮部材１の引張量の合計ΔＬ１＋ΔＬ２を測定する。起歪体２の表面に設けられた第２のひずみゲージＲ２＿Ｃおよび起歪体２の裏面に設けられた第４のひずみゲージＲ４＿Ｃは、グリッド方向が引張方向に垂直であり、圧縮量を測定する。４つのひずみゲージＲ１＿Ｔ、Ｒ２＿Ｃ、Ｒ３＿Ｔ、Ｒ４＿Ｃによりホイートストンブリッジ回路を構成する。
起歪体２の表裏に４つのひずみゲージＲ１＿Ｔ、Ｒ２＿Ｃ、Ｒ３＿Ｔ、Ｒ４＿Ｃを設けることにより、温度補正を行うとともに、曲げひずみをキャンセルし、引張ひずみを効率よく検出することができる。
【００１２】
図３は、本発明の第３実施形態に係る測定装置の概略図である。
測定装置１０ｃでは、１本の長尺の伸縮部材１の一端が起歪体２の一端に、伸縮部材１の他端が起歪体２の他端に接続され、伸縮部材１および起歪体２が環状に形成されている。
測定装置１０ｃにより、腕の太さ等を容易に測定することができる。
なお、起歪体２に開口を設け、この開口に伸縮部材１を通すことにより、伸縮部材１と起歪体２とを接続してもよい。ひずみ測定部３ｃは、図１に示すひずみ測定部３ａでも、図２に示すひずみ測定部３ｂでもよい。
【００１３】
図４は、本発明の測定装置が取り付けられた測定用衣服の第１の適用事例を示す。
図４（ａ）に示すように、首に１個、各二の腕に１個、各手首に１個、胸部に１個、腹部に１個の合計７個の測定装置１０がタートルネック形状の測定用衣服１００に取り付けられている。測定用衣服１００は、例えば、タイツやストッキングのような繊維素材からなり、伸縮部材１より小さいばね定数を有し、容易に伸張するため、伸縮部材１の引張に影響しない。
図４（ｂ）に示すように、ユーザ（図示せず）が測定用衣服１００を着用すると、ユーザの体に合わせて測定用衣服１００および測定装置１０が引張する。このように、ユーザが、複数の測定装置１０が取り付けられた測定用衣服１００を着用することにより、複数の体部位の測定が同時に行われるため、採寸が容易になる。例えば、ユーザが通信販売により洋服を購入する場合、このような測定用衣服１００を着用することにより、体部位の測定ができるので、洋服の試着をすることなく自分に適したサイズの洋服を購入することができる。
なお、測定装置１０の個数は図示例に限定されるものではない。
【００１４】
測定装置１０のそれぞれの引張量（採寸値）は、有線または無線でロガーに送信される。また、ロガーからスマートフォン等にデータが送信されてもよい。
なお、図示例では、腹部の測定装置１０のみがロガーに接続されているが、他の６個の測定装置１０も同様にロガーに接続されている。また、測定装置１０は、ロガーから有線によって給電されてもよいし、図５に示すように、無線によって給電されてもよい。
【００１５】
図５は、無線給電されるひずみ測定部の回路図である。
ひずみ測定部３ｄは、受電コイルＬ２とコンデンサＣとが並列接続されたＬＣ共鳴回路を有する点以外、図２（ｂ）のひずみ測定部３ｂと同一である。送電側の給電コイルＬ１から発生した磁束によって、受電コイルＬ２に誘導起電圧が生じ、コンデンサＣが充電される。ブリッジ回路は、コンデンサＣを電源として動作し、引張ひずみを検出および出力する。
また、図示を省略するが、給電コイルＬ１および受電コイルＬ２を近距離無線通信（ＮＦＣ：Ｎｅａｒ  Ｆｉｅｌｄ  Ｃｏｍｍｕｎｉｃａｔｉｏｎ）等のアンテナとして共用し、ひずみ測定部３ｄの出力を送電側へ無線伝送するようにしてもよい。この場合には、送電側はリーダとして機能し、図４に示したロガーの代替となる。
【００１６】
図６は、本発明の測定装置が取り付けられた測定用衣服の第２の適用事例を示す。
図６は、臀部の断面を表し、腹部側に１個、右臀部に１個、左臀部に１個の合計３個の測定装置１０が、タイツ形状の測定用衣服２００に取り付けられている。なお、破線にて、ユーザが測定用衣服２００を着用する前の状態が示される。
このように、複数の測定装置１０が取り付けられた測定用衣服２００を用いることにより、臀部の詳細な寸法を測定することができる。
【００１７】
なお、本発明の測定装置は、体のサイズを測定することを一例として説明してきたが、体の動きを測定するために用いることもできる。例えば、肘を伸ばした状態から肘を曲げた状態の変化を検出することにより、体の動きを測定することができる。また、曲げセンサ等の他のセンサも用いて、体の動きをより精度良く測定できるようにしてもよい。
【符号の説明】
【００１８】
１      伸縮部材
２      起歪体
３      ひずみ測定部
１０    測定装置
１００  測定用衣服
２００  測定用衣服
【図１】
2018165680.tif 000003
【図２】
2018165680.tif 000004
【図３】
2018165680.tif 000005
【図４】
2018165680.tif 000006
【図５】
2018165680.tif 000007
【図６】
2018165680.tif 000008